(57)【要約】 【課題】  使い捨て注射針を個別収容する包装容器において、１回の操作により注射器から注出される注射液量を事前に確認できるようにすること。【解決手段】   針４を保持すると共に注射器本体に装着するための装着部５を備えた注射針６を個別に収容する注射針の包装容器１において、注射器本体から注出される注射液の量を計量可能な目盛りSが設けられている透明又は半透明のケース本体２を有する包装容器とすること。【選択図】 図１
0003131804.tif 000002
【実用新案登録請求の範囲】
【請求項１】
針を保持すると共に注射器本体に装着するための装着部を備えた注射針を個別に収容する注射針の包装容器において、
注射器本体から注出される注射液の量を計量可能な目盛りが設けられている透明又は半透明のケース本体を有することを特徴とする注射針の包装容器。
【請求項２】
前記ケース本体の内壁は、底部に向かってその径が小さくなる円錐状であることを特徴とする請求項１に記載の注射針の包装容器。
【請求項３】
前記ケース本体は、前記注射針を取り出すことなく前記注射器本体に装着できると共に、前記注射針を収容した状態のままで注射器本体から注出された注射液を計量できるように設定されていることを特徴とする請求項１又は２に記載の注射針の包装容器。
【請求項４】
針を保持すると共に注射器本体に装着するための装着部を備えた注射針を個別に収容する注射針の包装容器において、
注射器本体から注出される注射液の量を計量可能な目盛りが設けられている透明又は半透明の針キャップを有することを特徴とする注射針の包装容器。
【請求項５】
前記針キャップの内壁は、底部に向かってその径が小さくなる円錐状であることを特徴とする請求項４に記載の注射針の包装容器。
【請求項６】
糖尿病患者がインスリン自己注射に使用するペン型注射器用の注射針の包装に用いられる請求項１から５のいずれかに記載の注射針の包装容器であって、
前記目盛りは、糖尿病患者が１回の注射で注射するインスリンの単位量ごとに設けられていることを特徴とするペン型注射器用注射針の包装容器。
【請求項７】
糖尿病患者がインスリン自己注射に使用するペン型注射製剤用の注射針の包装に用いられる請求項１から５のいずれかに記載の注射針の包装容器であって、
前記目盛りは、インスリン１単位の液量を基準に設けられていることを特徴とするペン型注射製剤用注射針の包装容器。
【考案の詳細な説明】
【技術分野】
【０００１】
本考案は、使い捨て注射針の包装容器に関する。特に、糖尿病患者をはじめとする患者による自己注射に使用する注射器の注射針に関するものである。
【背景技術】
【０００２】
糖尿病患者によるインスリン自己注射用には、ペン型注射器が広く使用されている。
インスリン自己注射は、その症状に合わせて医師が指示する量のインスリンを患者が自ら注射する一般的な糖尿病の治療法であり、糖尿病患者へのインスリンの投与量は、例えば２単位、４単位、８単位（１００単位/ｍｌ製剤の場合10μｌが１単位に相当する）という単位で呼ばれている。そのため、多くのペン型注射器は、１回の注入ボタンの押し込み(注射)により医師の指示するインスリン量が注出されるように設定できる仕組みを備えている。
【０００３】
インスリン自己注射に用いられるペン型注射器は、図４に示されるように、３００単位のインスリンを収容すると共に先端部84に注射針6を装着するためのネジ部85が形成されたインスリンカートリッジ87と、注入ボタン80、注入インスリン量の表示部82および注乳インスリン量の設定ダイヤル81が設けられた操作部88と、前記インスリンカートリッジ87を被覆するように装着されるキャップ（図示しない）とから構成されている。注射針6は１回ごとに使い捨てとなっており、注射の度に前記インスリンカートリッジ87の先端部84に新しい注射針6を装着するようになっている。
【０００４】
前記注射針6は、図４および図５に示されるように、針4と、前記針4を貫通保持すると共に前記ペン型注射器8のインスリンカートリッジ87の先端部84に装着するためのネジ部51を備えた装着部材5とから構成されており、前記注射針6を収容可能なケース本体2と、前記針4を被覆する円筒状の針キャップ7と、前記ケース本体2の開口部20を閉塞する保護シール3からなる包装容器1に個別収容されている。また、開封時の注射針6の不用意な脱落を防止するために、前記ケース本体2の上部21は注射針6の装着部材5に外嵌しこれを保持するようになっており、下部22はテーパ部23を介して前記下部21よりも径の小さい前記円筒体となっている。
【０００５】
インスリン自己注射を行う場合、インスリンカートリッジ87のインスリン残量が十分かどうかを確認した後、前記包装容器1の保護シール3をはがして開封し、注射針6がケース本体2に収容された状態のままで前記ペン型注射器8のインスリンカートリッジ87の先端部84を前記注射針6の装着部材5に挿入しネジ止めし、注射針6を装着させる。前記ケース本体2を注射針6から取り外した後、前記注射針6を被覆する針キャップ7を取り外せば、注射可能な状態となる。
【０００６】
インスリン自己注射を行う際には、前記針4の内部の空気抜きと前記ペン型注射器8の動作確認のために、前記操作部88の設定ダイヤル81を２単位のインスリン量にセットして、「試し打ち」を行ってインスリン注出を確認してから自己注射を行うこととなっている。
【考案の開示】
【考案が解決しようとする課題】
【０００７】
しかしながら、試し打ちのインスリンの量は２単位（20μｌ）とごく微量であるため、試し打ちにより前記ペン型注射器8が正しく動作しているかどうか（インスリン表示部82が示すインスリン量が正しく注出されているかどうか）を確認することは困難であるため、注入ボタン80の押し込みによりインスリンが注出されることを確認しているに過ぎないというのが現状である。
【０００８】
前記インスリンカートリッジ87は、インスリンの残量を確認できるように透明な窓部86が設けられており、前記窓部86に沿って数10単位〜100単位ごとに目盛89が設けられているため、インスリンカートリッジ87内のインスリン残量から前記ペン型注射器8のインスリン注出量が正しいかどうかを算出することが可能であるが、これは事後確認であるため、注入前にペン型注射器8の不具合・異常を発見しえないという問題がある。
【０００９】
本考案は、使い捨て注射針を個別収容する包装容器において、１回の操作により注射器から注出される注射液量を事前に確認できるようにすることを課題とする。
【課題を解決するための手段】
【００１０】
上記課題を解決するために、本考案の注射針の包装容器は、注射器本体から注出される注射液の量を計量可能な目盛りが設けられている透明又は半透明のケース本体を有することを特徴とする。
これによれば、注射針を取り出し、空となった前記ケース本体内に向かって試し打ちをすることにより、注射器本体から注出された注射液の量をケース本体の外側からひと目で確認することができる。
【００１１】
また、前記ケース本体の内壁を、底部に向かってその径が小さくなる円錐状としたものでは、注射液が微量である場合にも確認することが可能であると共に、ケース本体の内壁が円筒状のものに比べ注出された注射液が隙間なく充填され易いため、正確な計量が可能である。
【００１２】
また、前記ケース本体を、前記注射針を取り出すことなく前記注射器本体に装着できると共に、前記注射針を収容した状態のままで注射器本体から注出された注射液を計量できるように設定したものでは、試し打ちの際に注射液がケース本体の上部内壁に付着することがないため正確な計量が可能であると共に、注射針の汚染を防止することができる。
【００１３】
本考案の注射針の包装容器は、注射器本体から注出される注射液の量を計量可能な目盛りが設けられている透明又は半透明の針キャップを有することを特徴とする。
これによれば、注射針から取り外した前記針キャップに向かって試し打ちをすることにより、注射器本体から注出された注射液の量を針キャップの外側からひと目で確認することができる。
【００１４】
また、前記針キャップの内壁を、底部に向かってその径が小さくなる円錐状としたものでは、注射液が微量である場合にも確認することが可能であると共に、針キャップの内壁が円筒状のものに比べ注出された注射液が隙間なく充填され易いため、正確な計量が可能である。
【００１５】
本考案のペン型注射器用の注射針の包装容器は、前述注射針の包装容器を糖尿病患者がインスリン自己注射に使用するペン型のインスリン注射器用の注射針に用いたものであって、前記目盛りが、糖尿病患者が１回の注射で注射するインスリンの単位量ごとに設けられていることを特徴とする。
これによれば、試し打ちのための最小単位のインスリン量（２単位）だけでなく、必要に応じて医師から指示されたインスリン量がペン型注射器から正しく注出されているかどうかを確認することができる。
【００１６】
また、前述注射針の包装容器を糖尿病患者がインスリン自己注射に使用するペン型注射製剤用の注射針の包装に用いたものであって、前記目盛りが、インスリン１単位の液量を基準に設けたものについても同様の効果を得ることができる。
【考案の効果】
【００１７】
本考案の注射針の包装容器を用いれば、計量用の器具を準備することなく、包装容器内に試し打ちという簡便な方法により注射器から注出される注射液を事前に確認することができる。そのため、注射器の不具合・異常による不適切な治療や事故を未然に防ぐことができる。
【考案を実施するための最良の形態】
【００１８】
以下に、本考案実施の形態について実施例を用いながら詳細に説明する。
＜実施例１＞
図１には、糖尿病患者がインスリン自己注射に使用するペン型注射器用の使い捨て注射針の包装容器の一例を示している。
この注射針の包装容器1は、針4と前記針4を貫通保持すると共に前記ペン型注射器8に装着するための装着部材5とからなる注射針6を収容可能な合成樹脂製の半透明なケース本体2と、前記ケース本体2の開口部20を閉塞する保護シール3から構成されている。
【００１９】
前記ケース本体2は、図１に示されるように、前記注射針6の装着部材5に外嵌してこれを脱落防止状態に保持する円筒状の上部21と、前記上部21から下方向に径が小さくなるテーパ部23を介して、径の小さな円柱状の下部22とから構成されており、前記下部内壁220は下に向かって徐々に径が小さくなる円錐状となっている。前記下部内壁220には、中心方向に突出する凸条からなる目盛りSが20μlごとに周回形成されている。また、前記ケース本体2の上端部には、保護シール3を貼着するためのフランジ部24が形成されている。
前記保護シール3は、前記ケース本体2の開口部20を被覆する円形状の蓋部30と、剥離しやすいように前記蓋部30の周縁から延長された舌片部31からなり、前記舌片部は前記ケース本体上部21の外壁面に軽く貼着されている。
【００２０】
前記ケース本体2の下部22は、図２に示されるように、前記注射針6をケース本体に2収容したままでインスリン液Lを２単位（20μl）注出した場合に、前記針4の先端がインスリン液に接触しない形状となっている。
【００２１】
上記のような構成であるから、包装容器1に収容された注射針6を使用する際には、先ず、前記保護シール3の舌片部31を摘んで前記フランジ部24から剥離して前記ケース本体2の開口部20を開放させた後、ペン型注射器8のインスリンカートリッジ87の先端部84を前記ケース本体2に収容された状態の注射針6の装着部材5の内側に挿入し、ネジ部85とネジ部51を螺合させて前記注射針6を装着させる。次に、その状態のままペン型注射器8の操作部88のインスリン量を設定する設定ダイヤルを２単位にセットし、注入ボタン80を押し込んで試し打ちを行う。このとき、図２に示されるように、前記注射針6の針4からインスリン液Lがケース本体2の下部22に注出される。正しく２単位のインスリン液が注出されているかどうか、前記下部22の内壁に形成された一番下の目盛りSにより、ケース本体2の外側から確認することができる。
【００２２】
ペン型注射器から２単位のインスリン液Lが正しく注出されていることを確認した後、前記ケース本体2を注射針6から取り外し、前記設定ダイヤルを医師から指示された量にセットして自己注射を行う。
また、必要に応じて、ペン型注射器から医師から指示されたインスリン液L（例えば、４単位，８単位）が正しく注出されているかについても確認することができる。この場合は、前記注射針6をケース本体2から取り出した後、注射針6から注出されたインスリン液Lに針4が接触しないように注意しながら試し打ちを行う。
【００２３】
以上のように、この注射針の包装容器1によれば、試し打ちによりペン型注射器から注出されるインスリン液Lの量を確認することで、事前にペン型注射器の不具合・異常を発見することができるため、安全性・確実性に優れている。また、試し打ちで注出したインスリン液Lがケース本体2に回収され、周辺に飛び散ることがないため後片付けの手間や衣類などに薬剤もしくは添加物の匂いが付着するという問題も起こらない。
【００２４】
＜実施例２＞
図３には、糖尿病患者がインスリン自己注射に使用するペン型注射器用の使い捨て注射針の包装容器の別の例を示している。ケース本体2を閉塞する保護シール3および収容される注射針6の構成は、前述の実施例１と同一である。
この注射針の包装容器1は、注射針6を収容するケース本体2と、前記針4を被覆する円筒状の針キャップ7と、前記ケース本体2の開口部20を閉塞する保護シール3から構成されている。
【００２５】
前記ケース本体2は、図１に示されるように、前記注射針6の装着部材5に外嵌してこれを脱落防止状態に保持する円筒状の上部21と、前記上部21から下方向に径が小さくなるテーパ部23を介して、径の小さな円筒状の下部22とからなっている。
【００２６】
前記針キャップ7は、前記針4を被覆する円筒状の針収容部70と、前記注射針6の装着部材5の中央部に突出形成されている針保持部50に外嵌する小径のネック部71と、前記ネック部71から外側に張り出したフランジ部72からなり、前記針収容部の外面には外側方向に突出する凸条からなる目盛りSが10μlごとに形成されている。
【００２７】
上記のような構成であるから、包装容器1に収容された注射針6を使用する際には、先ず、前記保護シール3を剥離して前記ケース本体2の開口部20を開放させた後、ペン型注射器8に前記注射針6を装着させる。次に、前記注射針6を前記ケース本体2から取り出し、前記針キャップ7を取り外した後、ペン型注射器8の操作部88のインスリン量を設定する設定ダイヤルを２単位にセットし、注入ボタン80を押し込んで、前記針キャップ7の中に試し打ちを行う。正しく２単位のインスリン液Lが注出されているかどうか、前記針収容部70に形成された目盛りSにより、外側から確認することができる。
【００２８】
これにより、前述の実施例１と同様に、事前に不具合・異常を発見することができるため、安全性・確実性に優れていると共に、インスリン液Lが周辺に飛び散ることがないため後片付けの手間や衣類などに匂いが付着するという問題も起こらない。
また、前記針キャップ7はケース本体2に比べて計量できる量が少ないため、より微量な液の計量に適している。
＜その他＞
本考案の注射針の包装容器は、前述の実施例１および実施例２のインスリン自己注射用の注射針の包装容器に限定されるものではない。
【００２９】
注射針6の包装容器１のケース本体２または針キャップ7の下部壁面に注射液の計量のための目盛りSを設けた構成のものであればよく、他の疾患用の自己注射または医師・看護婦によって行われる注射に使用する使い捨て注射針の包装容器として広く利用することが可能である。
【図面の簡単な説明】
【００３０】
【図１】本考案の注射針の包装容器（実施例１）の断面図である。
【図２】ペン型注射器への注射針の装着を説明する説明図である。
【図３】実施例１の注射針の包装容器を用いた注射液の計量方法を説明する部分断面図である。
【図４】本考案の注射針の包装容器（実施例２）の断面図である。
【図５】従来の注射針の包装容器を示す断面図である。
【符号の説明】
【００３１】
１    包装容器
２    ケース本体
３    保護シール
４    針
５    装着部材
６    注射針
７    針キャップ
８    ペン型注射器
Ｓ    目盛
Ｌ    インスリン液
【図１】
0003131804.tif 000003
【図２】
0003131804.tif 000004
【図３】
0003131804.tif 000005
【図４】
0003131804.tif 000006
【図５】
0003131804.tif 000007